(57)【特許請求の範囲】
【請求項１】
上弦材と下弦材との間にラチス材がジグザグに設けられてなるラチス梁であって、
前記上弦材の端部に、当該上弦材の長手方向に長尺な補強部材が固定されており、
前記上弦材がその厚さ方向に平行に配置された一対の上弦構成部材で構成され、
前記下弦材がその厚さ方向に平行に配置された一対の下弦構成部材で構成され、
前記ラチス材は、平面視において前記上弦構成部材間および前記下弦構成部材間に配置されて、これら上弦構成部材および下弦構成部材に固定され、
前記補強部材は、平面視において前記上弦構成部材間に配置されて、当該上弦構成部材に固定されていることを特徴とするラチス梁。
【請求項２】
請求項１に記載のラチス梁において、
前記上弦材の端部に、当該端部を被取付部に取り付けるための取付部材が固定されており、
この取付部材が前記補強部材にも固定されていることを特徴とするラチス梁。
【請求項３】
請求項２に記載のラチス梁において、
前記上弦材の端面に、断面Ｌ形の前記取付部材の一片部が固定され、
前記補強部材の下部は、前記上弦材の下部より下方に突出しており、この突出した部分に、前記取付部材の他片部が固定されていることを特徴とするラチス梁。
【請求項４】
請求項１〜３のいずれか一項に記載のラチス梁において、
前記下弦材の端部に、前記上弦材に向けて斜めに延びる斜材が形成されおり、この斜材が前記上弦材の端部に固定されていることを特徴とするラチス梁。
【発明の詳細な説明】
【技術分野】
【０００１】
本発明は、ラチス梁に関する。
【背景技術】
【０００２】
床を支持する床梁として、ラチス梁を使用することがある。このラチス梁の一例として特許文献１に記載のものが知られている。
このラチス梁は、上弦材と、下弦材と、これらの間にジグサグに設けられたラチス材とを備えている。ラチス梁の端部には取付プレートが固定されており、この取付プレートを基礎の上面および側面に当接させた状態でコンクリートビス等によって固定することによって、ラチス梁が基礎に取り付けられている。
【先行技術文献】
【特許文献】
【０００３】
【特許文献１】特開２００６−２１４２３８号公報
【発明の概要】
【発明が解決しようとする課題】
【０００４】
ところで、ラチス梁の長さ（スパン）を長くすると、当該ラチス梁は撓み易くなるため、例えばラチス材を太くしたり密に配置したりして、機械的強度を高める場合がある。かかる場合、ラチス梁自体の自重が増大するとともに、ラチス梁によって支持される床から当該ラチス梁に大きな力が下向きに作用する。
このラチス梁の端部は基礎等に取り付けられ、この基礎等によって支持されるため、当該ラチス梁の端部にも大きな力が作用して変形等の可能性がある。このため、ラチス梁端部の強度を高くする必要がある。
【０００５】
本発明は上記事情に鑑みてなされたもので、ラチス梁端部の強度を高くすることができるラチス梁を提供することを課題としている。
【課題を解決するための手段】
【０００６】
上記課題を解決するために、請求項１に記載の発明は、例えば図１〜図４に示すように、上弦材２と下弦材３との間にラチス材４がジグザグに設けられてなるラチス梁１であって、
前記上弦材２の端部に、当該上弦材２の長手方向に長尺な補強部材１０が固定されており、
前記上弦材２がその厚さ方向に平行に配置された一対の上弦構成部材５，５で構成され、
前記下弦材３がその厚さ方向に平行に配置された一対の下弦構成部材６，６で構成され、
前記ラチス材４は、平面視において前記上弦構成部材５，５間および前記下弦構成部材６，６間に配置されて、これら上弦構成部材５，５および下弦構成部材６，６に固定され、
前記補強部材１０は、平面視において前記上弦構成部材５，５間に配置されて、当該上弦構成部材５，５に固定されていることを特徴とする。
【０００７】
請求項１に記載の発明によれば、上弦材２の端部に、上弦材２の長手方向に長尺な補強部材１０が固定されているので、ラチス梁１の端部の強度を高くすることができる。
また、ラチス材４が、平面視において上弦構成部材５，５間および下弦構成部材６，６間に配置されて、これら上弦構成部材５，５および下弦構成部材６，６に固定されているので、ラチス材４を上弦構成部材５，５および下弦構成部材６，６によって挟み付けた状態で強固に固定できる。
また、補強部材１０が、平面視において上弦構成部材５，５間に配置されて、当該上弦構成部材５，５に固定されているので、補強部材１０を上弦構成部材５，５によって挟み付けた状態で強固に固定できる。
さらに、ラチス材４と補強部材１０とが平面視において一直線上に配置されるので、ラチス梁１としての強度のバランスが優れたものとなる。
【０００８】
請求項２に記載の発明は、例えば図５に示すように、請求項１に記載のラチス梁において、
前記上弦材２の端部に、当該端部を被取付部（例えば基礎１１）に取り付けるための取付部材１２が固定されており、この取付部材１２が前記補強部材３０にも固定されていることを特徴とする。
【０００９】
請求項２に記載の発明によれば、上弦材２の端部に固定されている取付部材１２が補強部材３０にも固定されているので、取付部材１２を強固に固定することができる。したがって、上弦材２の端部の取付部材１２を被取付部（例えば基礎１１）に強固に取り付けることができる。
【００１０】
請求項３に記載の発明は、例えば図５に示すように、請求項２に記載のラチス梁において、
前記上弦材２の端面に、断面Ｌ形の前記取付部材１２の一片部１２ａが固定され、
前記補強部材１０の下部は、前記上弦材２の下部より下方に突出しており、この突出した部分に、前記取付部材１２の他片部１２ｂが固定されていることを特徴とする。
【００１１】
請求項３に記載の発明によれば、上弦材２の端面に取付部材１２の一片部１２ａが固定され、補強部材３０の、上弦材２の下部より下方に突出した部分に取付部材１２の他片部１２ｂが固定されているので、取付部材１２の上弦材２に対する取付位置（上弦材２の長手方向における取付位置、上下方向における位置）を容易に位置決めできるとともに、他片部１２ｂに基礎１１等の被取付部から作用する力を補強部材１０によって確実に受けることができる。
【００１２】
請求項４に記載の発明は、例えば図１および図３に示すように、請求項１〜３のいずれか一項に記載のラチス梁において、
前記下弦材３の端部に、前記上弦材２に向けて斜めに延びる斜材７が形成されおり、この斜材７が前記上弦材２の端部に固定されていることを特徴とする。
【００１３】
請求項４に記載の発明によれば、下弦材３の端部を斜材７によって上弦材２の端部に連結することができるので、下弦材３の端部を補強できる。
【発明の効果】
【００１６】
本発明によれば、上弦材と下弦材との間にラチス材がジグザグに設けられてなるラチス梁の、上弦材の端部に、上弦材の長手方向に長尺な補強部材が固定されているので、ラチス梁の端部の強度を高くすることができる。
【図面の簡単な説明】
【００１７】
【図１】本発明に係るラチス梁の一例を示すもので、（ａ）は正面図、（ｂ）は平面図、（ｃ）は（ａ）におけるＡ−Ａ線断面図である。
【図２】同、（ａ）は補強部材の正面図、（ｂ）は補強部材の端面図である。
【図３】同、ラチス梁の端部を基礎に取り付けた状態を示す正面図である。
【図４】同、ラチス梁の端部を基礎に取り付ける方法を示す斜視図である。
【図５】本発明に係るラチス梁の他の例を示す正面図である。
【発明を実施するための形態】
【００１８】
以下図面を参照して本発明に係るラチス梁の実施の形態について説明する。
（第１の実施の形態）
図１〜図４は本発明の第１の実施の形態を示すものである。
図１に示すように、ラチス梁１は、上弦材２と、下弦材３と、これらの間にジグザグに設けられたラチス材４とを備えている。
【００１９】
上弦材２は、その厚さ方向（図１（ａ）において紙面と直交する方向）に平行に配置された一対の上弦構成部材５，５によって構成されている。
上弦構成部材５は断面Ｌ形の長尺部材であり、直角に交わる一片部５ａと他片部５ｂとから構成されている。そして、上弦構成部材５，５は、その他片部５ｂ，５ｂを所定の隙間をもって平行に設け、かつその一片部５ａ，５ａを水平に設けて、配置されている。なお、一片部５ａ，５ａは面一となっている。
【００２０】
下弦材３は、その厚さ方向（図１（ａ）において紙面と直交する方向）に平行に配置された一対の下弦構成部材６，６によって構成されている。
下弦構成部材６は、上弦構成部材５より短い断面Ｌ形の長尺部材であり、直角に交わる一片部６ａと他片部６ｂとから構成されている。そして、下弦構成部材６，６は、その他片部６ｂ，６ｂを所定の隙間をもって平行に設け、かつその一片部６ａ，６ａを水平に設けて、配置されている。なお、一片部６ａ，６ａは面一となっている。
下弦材３を構成する下弦構成部材６の端部には、上弦構成部材５に向けて斜めに延びる斜材７が形成されている。この斜材７は下弦構成部材６の他片部６ｂの端部に切り込みを形成し、この切り込みにて一片部６ａの端部を斜め上方に折り曲げることによって形成されている。なお、折り曲げることによって、他片部６ｂの切り込みを入れた部分の両側は互いに重なっている。
このようにして形成された斜材７の端部は上弦構成部材５の他片部５ｂに溶接によって固定されている。また、斜材７は一対の下弦構成部材６，６のそれぞれに、かつ両端部に形成されている。
【００２１】
ラチス材４は上弦材２と下弦材３との間にジグザグに設けられている。また、ラチス材４は、平面視において上弦構成部材５，５間および下弦構成部材６，６間に配置されて、これら上弦構成部材５，５および下弦構成部材６，６に固定されている。
すなわち、ジグザグ状のラチス材４の上部の折曲部が上弦構成部材５，５の他片部５ｂ，５ｂ間に配置されて、これら他片部５ｂ，５ｂに溶接によって固定されている。また、ラチス材４の下部の折曲部が下弦構成部材６，６の他片部６ｂ，６ｂ間に配置されて、これら他片部６ｂ，６ｂに溶接によって固定されている。
また、ラチス材４の端部は、下弦構成部材６，６の他片部６ｂ，６ｂ間に配置されて、これら他片部６ｂ，６ｂに溶接によって固定されている。
このようにして、上弦材２を構成する上弦構成部材５，５、下弦材３を構成する下弦構成部材６，６、ラチス材４が一体化されている。
【００２２】
前記上弦材２の両端部には、それぞれ上弦材２の長手方向に長尺な補強部材１０が固定されている。
すなわち、補強部材１０は、図２に示すように、左右に長い長方形板状の鉄板で形成されており、その端部の下辺部には矩形状の切欠部１０ａが形成されている。また、補強部材１０の厚さは、上弦構成部材５，５間の隙間と等しくなっており、短辺部の長さは上弦構成部材５の他片部５ｂの上下の長さより長くなっている。
そして、このような構成の補強部材１０は、平面視において上弦構成部材５，５間に配置されて、当該上弦構成部材５，５に固定されている。
すなわち、補強部材１０は、上弦構成部材５の他片部５ｂ，５ｂ間に、補強部材１０の上辺を上弦構成部材５の他片部５ｂの上端と等しい高さに合せ、かつ、補強部材１０の端面を上弦構成部材５の端面と面一になるように、かつ切欠部１０ａを上弦構成部材５の端部側に位置させるようにして、挿入されている。
そして、補強部材１０は上弦構成部材５，５の他片部５ｂ，５ｂに挟み付けられた状態で溶接によって強固に固定されている。
この状態において、補強部材１０の下辺部は上弦構成部材５の下辺部より下方に突出している。
【００２３】
また、上弦構成部材５，５によって構成された上弦材２の端部には、図３および図４に示すように、当該端部を基礎（被取付部）１１に取り付けるための取付部材１２が固定されている。
すなわち、取付部材１２は断面Ｌ形に形成されており、その鉛直な一片部１２ａが上弦構成部材５，５の端面にこれらの間の隙間を跨ぐようにして溶接によって固定されている。また、取付部材１２の他片部１２ｂの先端部には、当該先端部を斜め下方に折曲してなる固定部１２ｃが形成されており、この固定部１２ｃは前記斜材７に溶接によって固定されている。また、他片部１２ｂには、ボルト挿通用の穴１２ｄ，１２ｄが離間して形成されている。
【００２４】
上記のような構成のラチス梁１の端部は、図３および図４に示すように、基礎１１に梁受金物１５を介して取り付けられている。
すなわちまず、梁受金物１５は取付部１６と、この取付部１６に固定された支持部１７とによって構成されている。
取付部１６は、平板を直角に折り曲げることによって断面Ｌ形に形成されており、上板部１６ａと側板部１６ｂとによって構成されている。
そして、上板部１６ａの裏面に接着剤を塗布したうえで当該上板部１６ａを基礎１１の上面に当接するとともに、側板部１６ｂの裏面に接着剤を塗布したうえで当該側板部１６ｂを基礎１１の側面に当接し、さらに、図示しないコンクリートビスを側板部１６ｂを通して基礎１１にねじ込むことによって、取付部１６が基礎１１に取り付けられている。
【００２５】
支持部１７は上方に開口する断面略コ字形に形成されており、支持部１７の上端部には水平なフランジ部１７ａ，１７ａが形成されている。支持部１７の断面コ字形を構成する両側板部１７ｂ，１７ｂ間の距離は、前記取付部材１２の幅より若干長くなっている。また、支持部１７の底板部１７ｃには、底板部１７ｃの長辺方向に長い長穴が形成されている。
このような構成の支持部１７はその端部を取付部１６の側板部１６ｂに、フランジ部１７ａが上板部１６ａより下方に位置するようにして、当接したうえで溶接によって固定されている。
【００２６】
そして、ラチス梁１の端部の取付部材１２を、梁受金物１５の支持部１７の側板部１７ｂ，１７ｂ間に上方から挿入するとともに底板部１７ｃに当接し、さらに、ボルト２０を底板部１７ｃに形成されている長穴と取付部材１２に形成されている穴１２ｄに挿通したうえで、平型ナット２１にねじ込んで締め付けることによって、取付部材１２が梁受金物１５に固定されている。ボルト２０の先端部は補強部材１０の切欠部１０ａに位置しているので、ボルト２０が補強部材１０に干渉するのを防止できる。
このようにして、ラチス梁１の端部が基礎１１に取付部材１２と梁受金物１５を介して取り付けられている。
なお、ラチス梁１の上弦材２の一片部５ａ，５ａには、床を支持するための木質の支持部材２２が工場等において予め固定されている。この支持部材２２に床（床パネル）が設置されて、当該床（床パネル）を通して床用ビスをねじ込むことによって、床（床パネル）が固定されるようになっている。
【００２７】
本実施の形態によれば、上弦材２の端部に、上弦材２の長手方向に長尺な補強部材１０が固定されているので、ラチス梁１の端部の強度を高くすることができる。
また、ラチス材４が、平面視において上弦構成部材５，５間および下弦構成部材６，６間に配置されて、これら上弦構成部材５，５および下弦構成部材６，６に固定されているので、ラチス材４を上弦構成部材５，５および下弦構成部材６，６によって挟み付けた状態で強固に固定できる。
また、補強部材１０が、平面視において上弦構成部材５，５間に配置されて、当該上弦構成部材５，５に固定されているので、補強部材１０を上弦構成部材５，５によって挟み付けた状態で強固に固定できる。
さらに、ラチス材４と補強部材１０とが平面視において一直線上に配置されるので、ラチス梁１としての強度のバランスが優れたものとなる。
また、下弦材３を構成する下弦構成部材６の端部に、上弦材２を構成する上弦構成部材５に向けて斜めに延びる斜材７が形成されおり、この斜材７が上弦構成部材５の端部に固定されているので、下弦構成部材６の端部を斜材７によって上弦構成部材５の端部に連結することができ、よって、下弦構成部材６の端部を補強できる。
【００２８】
（第２の実施の形態）
図５は本発明の第２の実施の形態を示すものである。
この第２の実施の形態が、前記第１の実施の形態と異なる点は、補強部材３０の構成とこの補強部材３０に取付部材１２を固定した点であるので、以下ではこの点について詳しく説明し、第１の実施の形態と共通部分には同一符号を付してその説明を省略ないし簡略化する。
【００２９】
本実施の形態における補強部材３０は、第１の実施の形態における補強部材１０に比して上下の長さが長くなっている。
すなわち、補強部材３０は、その下部が取付部材１２の他片部１２ｂに当接する位置まで下方に突出している。そして、上弦構成部材５，５の端面に、取付部材１２の一片部１２ａが固定されており、他片部１２ｂが補強部材３０の下面に当接されたうえで、溶接によって固定されている。
なお、取付部材１２の他片部１２ｂが補強部材３０の下面に固定されているので、取付部材１２には第１の実施の形態のような固定部１２ｃは形成されていない。
【００３０】
本実施の形態では、第１の実施の形態と同様の効果を得られる他、以下の効果が得られる。
上弦材２の端部に固定されている取付部材１２が補強部材３０にも固定されているので、取付部材１２を強固に固定することができる。したがって、上弦材２の端部の取付部材１２を基礎１１に強固に取り付けることができる。
また、上弦材２の端面に取付部材１２の一片部１２ａが固定され、補強部材３０の、上弦材２の下部より下方に突出した部分に取付部材１２の他片部１２ｂが固定されているので、取付部材１２の上弦材２に対する取付位置（上弦材２の長手方向における取付位置、上下方向における位置）を容易に位置決めできるとともに、他片部１２ｂに基礎１１から作用する力を補強部材３０によって確実に受けることができる。
【００３１】
なお、上記の実施の形態では、上弦材２を一対の上弦構成部材５，５によって構成し、下弦材３を一対の下弦構成部材６，６によって構成したが、本発明はこれに限ることなく、例えば上弦材および下弦材をそれぞれ１本の長尺な部材で構成してもよい。
【符号の説明】
【００３２】
１  ラチス梁
２  上弦材
３  下弦材
４  ラチス材
５  上弦構成部材
６  下弦構成部材
７  斜材
１０，３０  補強部材
１１  基礎（被取付部）
１２  取付部材
１２ａ  一片部
１２ｂ  他片部
【図１】
0005603707.tif 000002
【図２】
0005603707.tif 000003
【図３】
0005603707.tif 000004
【図４】
0005603707.tif 000005
【図５】
0005603707.tif 000006